(57)【特許請求の範囲】
【請求項１】
内鍋を有する炊飯器の前記内鍋に収容可能な液回収器であって、
容器と、
前記容器の高さ位置を調節可能である高さ位置調節構造体と
を備え、
前記容器の底壁には、第１開孔と、前記第１開孔を囲む第２開孔とが形成され、
前記容器には、前記第１開孔の縁から上方に向かって延びる第１円筒壁部と、前記第２開孔の縁から上方に向かって延びる第２円筒壁部とが形成され、
第２円筒壁部の上端位置は、第１円筒壁部の上端位置よりも低い位置に設定され、
前記容器が前記内鍋に収容されている状態において、前記第１円筒壁部の上端位置は、前記内鍋の上端位置よりも低い位置に設定される
液回収器。
【請求項２】
前記高さ位置調節構造体は、複数段の容器支持部を有する
請求項１に記載の液回収器。
【請求項３】
前記高さ位置調節構造体は、第１容器支持部を有する第１構造体と、第２容器支持部を有すると共に前記第１構造体に対して高さ方向に移動可能である第２構造体とを有する請求項１に記載の液回収器。
【請求項４】
内鍋と、
前記内鍋に収容可能であって高さ位置を調節可能である容器と
を備え、
前記容器の底壁には、第１開孔と、前記第１開孔を囲む第２開孔とが形成され、
前記容器には、前記第１開孔の縁から上方に向かって延びる第１円筒壁部と、前記第２開孔の縁から上方に向かって延びる第２円筒壁部とが形成され、
第２円筒壁部の上端位置は、第１円筒壁部の上端位置よりも低い位置に設定され、
前記容器が前記内鍋に収容されている状態において、前記第１円筒壁部の上端位置は、前記内鍋の上端位置よりも低い位置に設定される
炊飯器。
【請求項５】
内鍋と、
請求項１から３のいずれかに記載の液回収器と
を備える、炊飯器。
【請求項６】
前記内鍋は、側壁の内側に向かって突起する突起部を有し、
前記液回収器は、前記内鍋に収容される際、前記突起部によって支持される
請求項５に記載の炊飯器。
【発明の詳細な説明】
【技術分野】
【０００１】
本発明は、液回収器に関する。また、本発明は、その液回収器を備える炊飯器に関する。
【背景技術】
【０００２】
過去に「“おねば”を除去するための器や装置を炊飯器の蓋体に設けること」が提案されている（例えば、特開２００１−２４５７８３号公報や特開２００１−３２７４００号公報等参照）。
【先行技術文献】
【特許文献】
【０００３】
【特許文献１】特開２００１−２４５７８３号公報
【特許文献２】特開２００１−３２７４００号公報
【発明の概要】
【発明が解決しようとする課題】
【０００４】
ところで、近年、粘りが少なく柔らかいご飯を好む消費者が増えつつある。このようなご飯を炊き上げるためには、炊飯中に生じる“おねば”の大部分を除去すればよい。しかし、上述の通り、従前のおねば除去器やおねば除去装置は蓋体に固定的に組み込まれているため、少ない合数のお米を炊き上げる場合、“おねば”がおねば除去器やおねば除去装置に到達しにくくなり、その結果、“おねば”の除去が著しく難しくなる。
【０００５】
本発明の課題は、炊飯器において少ない合数のお米を炊き上げる場合であっても“おねば”を十分に除去することができるようにすることである。
【課題を解決するための手段】
【０００６】
本発明の第１局面に係る液回収器は、内鍋を有する炊飯器の前記内鍋に収容可能な液回収器であって、例えば、炊飯器においてお米から生じる“おねば”等の粘性液を回収するのに適する。この液回収器は、容器および高さ位置調節構造体を備える。高さ位置調節構造体は、容器の高さ位置を調節可能である。容器の底壁には、第１開孔と、第１開孔を囲む第２開孔とが形成される。この容器には、第１開孔の縁からその容器の上側に向かって延びる第１円筒壁部（“おねば”の回収通路を形成する部位）と、第２開孔の縁からその容器の上側に向かって延びる第２円筒壁部（回収された“おねば”の超過分を炊飯器の内鍋に戻す通路を形成する部位）とが形成される。第２円筒壁部の上端位置は、第１円筒壁部の上端位置よりも低い位置に設定されている。容器が内鍋に収容されている状態において、第１円筒壁部の上端位置は、内鍋の上端位置よりも低い位置に設定される。また、この容器は、高さ位置調節構造体と別体とされてもよいし、一体とされてもよい。また、容器は、高さ位置調節構造体に対して着脱可能とされてもよいし、着脱不可能とされてもよい。
【０００７】
この液回収器では、高さ位置調節構造体によって炊飯器の内鍋に対する容器の高さ位置を調節することができ、容器が内鍋に収容されている状態において、第１円筒壁部の上端位置は、内鍋の上端位置よりも低い位置に設定される。このため、高さ位置調節構造体により容器を炊飯器の内鍋の底面近くに設置させれば、少ない合数のお米を炊き上げる場合であっても“おねば”を十分に除去することができる。一方、容器を内鍋の口近くに設置させれば、多くの合数のお米を炊き上げながら“おねば”を十分に除去することができる。さらに、内鍋に投入されたお米や水の量を加味しながら容器の高さ位置を調節することによって、回収する“おねば”の量を調整することもできる。また、この液回収器では、“おねば”の回収量に上限が設定されており、その上限を超えた余剰の“おねば”は第２円筒壁部および第２開孔を通って内鍋に戻される。このため、炊飯量や、容器の高さ位置等を適切に設定することによって、ご飯の粘りと“おねば”特有の旨みのバランスを取ることができる。
【０００８】
本発明の第２局面に係る液回収器は第１局面に係る液回収器であって、高さ位置調節構造体は、複数段の容器支持部を有する。なお、この複数段の容器支持部は、高さ方向に沿って並ぶように配設されている。
【０００９】
この液回収器では、容器支持部が多段構造となっている。すなわち、この液回収器の使用者は、お米の合数や回収すべき“おねば”の量等に合った段の容器支持部を選択することができる。
【００１０】
本発明の第３局面に係る液回収器は第１局面に係る液回収器であって、高さ位置調節構造体は、第１構造体および第２構造体を有する。第１構造体は、容器を支持するための部である第１容器支持部を有する。第２構造体は、容器を支持するための第２容器支持部を有する。そして、この第２構造体は、第１構造体に対して高さ方向に移動可能である。なお、第２構造体が第１構造体の下側に配設されることが好ましい。また、第１容器支持部および第２容器支持部は、それぞれ単段構成であってもいし、多段構成であってもよい。
【００１１】
上述の通り、この液回収器には、第１構造体に対して高さ方向に移動可能である第２構造体が設けられる。このため、第２構造体を下側に移動させれば容器を内鍋の底面近くに位置させることができ、第２構造体を上側に移動させれば容器を内鍋の口近くに位置させることができると共に内鍋の底側の空間に第１構造体を存在させることなくその空間を広く空けることができる。したがって、炊飯器で比較的多くの合数のお米を炊き上げる場合に液回収器（特に第１構造体）がお米に接触することを防ぐことができる。したがって、この液回収器は、使用者に対してお米が衛生的に保たれている印象を持たせることができる。
【００１２】
本発明の第４局面に係る炊飯器は、内鍋および容器を備える。容器は、内鍋に収容可能である。また、この容器は、高さ位置を調節可能である。容器の底壁には、第１開孔と、第１開孔を囲む第２開孔とが形成される。この容器には、第１開孔の縁からその容器の上側に向かって延びる第１円筒壁部（“おねば”の回収通路を形成する部位）と、第２開孔の縁からその容器の上側に向かって延びる第２円筒壁部（回収された“おねば”の超過分を炊飯器の内鍋に戻す通路を形成する部位）とが形成される。第２円筒壁部の上端位置は、第１円筒壁部の上端位置よりも低い位置に設定されている。容器が内鍋に収容されている状態において、第１円筒壁部の上端位置は、内鍋の上端位置よりも低い位置に設定される。なお、容器は、内鍋に部分的に収容されてもよいし、全体的に収容されてもよい。また、内鍋は、その底から一定高さ以上の空間に容器を収容可能である（一定高さ未満の空間は、お米や水等を収容する空間として利用される。）。
【００１３】
この炊飯器では、内鍋に対する容器の高さ位置を調節することができ、容器が内鍋に収容されている状態において、第１円筒壁部の上端位置は、内鍋の上端位置よりも低い位置に設定される。このため、この炊飯器では、容器を内鍋の底面近くに位置させれば、少ない合数のお米を炊き上げる場合であっても“おねば”を十分に除去することができる。一方、容器を内鍋の口近くに位置させれば、多くの合数のお米を炊き上げながら“おねば”を十分に除去することができる。さらに、この炊飯器では、内鍋に投入されたお米や水の量を加味しながら容器の高さ位置を調節することによって、回収する“おねば”の量を調整することもできる。また、この炊飯器では、“おねば”の回収量に上限が設定されており、その上限を超えた余剰の“おねば”は第２円筒壁部および第２開孔を通って内鍋に戻される。このため、炊飯量や、容器の高さ位置等を適切に設定することによって、ご飯の粘りと“おねば”特有の旨みのバランスを取ることができる。
【００１４】
本発明の第５局面に係る炊飯器は、内鍋および液回収器を備える。液回収器は、第１局面から第３局面のいずれか１つの局面に係る液回収器であって、内鍋に収容可能である。なお、液回収器は、内鍋に部分的に収容されてもよいし、全体的に収容されてもよい。また、内鍋は、その底から一定高さ以上の空間に液回収器を収容可能である（一定高さ未満の空間は、お米や水等を収容する空間として利用される。）。
【００１５】
この炊飯器では、高さ位置調節構造体によって内鍋に対する容器の高さ位置を調節することができ、容器が内鍋に収容されている状態において、第１円筒壁部の上端位置は、内鍋の上端位置よりも低い位置に設定される。このため、この炊飯器では、高さ位置調節構造体によって容器を内鍋の底面近くに位置させれば、少ない合数のお米を炊き上げる場合であっても“おねば”を十分に除去することができる。一方、高さ位置調節構造体によって容器を内鍋の口近くに位置させれば、多くの合数のお米を炊き上げながら“おねば”を十分に除去することができる。さらに、この炊飯器では、内鍋に投入されたお米や水の量を加味しながら容器の高さ位置を調節することによって、回収する“おねば”の量を調整することもできる。
【００１６】
本発明の第６局面に係る炊飯器は第５局面に係る炊飯器であって、内鍋は突起部を有する。この突起部は、側壁の内側に向かって突起している。なお、この突起部は、液回収器を安定的に支持するため、少なくとも３つ存在することが好ましい。そして、液回収器は、内鍋に収容される際、突起部によって支持される。なお、液回収器は、他の部材（例えば、高さ位置調節構造体）を介して間接的に支持されてもよいし、突起部によって直接的に支持されてもよい。
【００１７】
上述の通り、この炊飯器では、液回収器が内鍋に収容される際、突起部によって支持される。このため、この炊飯器では、液回収器を内鍋のフランジ部で支持する場合に比べて、液回収器の厚みを増すことなく内鍋の深い位置まで液回収器を収容することができる。
【図面の簡単な説明】
【００１８】
【図１】本発明の実施の形態に係るおねば回収器の斜視図である。
【図２】本発明の実施の形態に係る回収容器の斜視図である。
【図３】本発明の実施の形態に係る回収容器の本体容器の斜視図である。
【図４】本発明の実施の形態に係る回収容器の本体容器の平面図である。
【図５】図４のＩ−Ｉ断面図である。
【図６】図４のＩＩ−ＩＩ断面図である。
【図７】本発明の実施の形態に係る回収容器の平面図である。
【図８】図７のＩＩＩ−ＩＩＩ断面図である。なお、本図面では、取っ手が下方に落ちている状態が示されている。
【図９】図７のＩＶ−ＩＶ断面図である。なお、本図面では、取っ手が下方に落ちている状態が示されている。
【図１０】図９に示される回収容器において取っ手が引き上げられた状態を示す縦断面図である（切断面は、図７に示されるＩＶ−ＩＶ面である。）。
【図１１】本発明の実施の形態に係る高さ位置調節部材の斜視図である。なお、本図面では、延長部材が上位置に位置している状態が示されている。
【図１２】本発明の実施の形態に係る高さ位置調節部材の斜視図である。なお、本図面では、延長部材が下位置に位置している状態が示されている。
【図１３】本発明の実施の形態に係る高さ位置調節部材の本体部材の斜視図である。
【図１４】本発明の実施の形態に係る高さ位置調節部材の本体部材の平面図である。
【図１５】図１４のＶ−Ｖ断面図である。
【図１６】本発明の実施の形態に係る電気炊飯器の平面図である。
【図１７】図１６のＶＩ−ＶＩ断面図であって、おねば回収器が高さ位置調節部材の本体部材の最高段に載置されている状態を示す図である。
【図１８】本発明の実施の形態に係る電気炊飯器に収容される内鍋の斜視図である。
【図１９】図１６のＶＩ−ＶＩ断面図であって、おねば回収器が高さ位置調節部材の延長部材に載置されている状態を示す図である。
【発明を実施するための形態】
【００１９】
本発明の実施の形態に係るおねば回収器１００は、図１に示されるように回収容器１１０および高さ位置調節部材１５０から構成されている。なお、このおねば回収器１００は、炊飯器に装着し得る器材であって、その名称の通り、炊飯器においてお米から生じる“おねば”を回収するための器材である。なお、本発明の実施の形態に係るおねば回収器１００では、高さ位置調節部材１５０から回収容器１１０を取り外すことができる。高さ位置調節部材１５０から取り外された回収容器１１０は図２に示されており、回収容器１１０が取り外された高さ位置調節部材１５０は図１１に示されている。以下、これらの構成要素それぞれについて詳述した後、このおねば回収器１００の使用方法およびおねば回収の仕組みについて説明する。
【００２０】
＜おねば回収器の構成要素＞
（１）回収容器
回収容器１１０は、図２に示されるように、容器本体１２０および取っ手１３０から構成されている。以下、これらの構成要素それぞれについて詳述した後、この回収容器１１０の状態変化について説明する。
【００２１】
（１−１）容器本体
容器本体１２０は、図３から図６に示されるように、主に、器部１２１、フランジ部１２２、中央大径円筒壁部１２３、周辺小径円筒壁部１２４および固定リブ１２５から形成されている。以下、これらの構成要素について詳述する。
【００２２】
器部１２１は、従前のおねば回収器やおねば回収装置よりも大きなおねば回収量を有する器体であって、図３に示されるように、主に、底壁部１２１ａおよび側壁部１２１ｂから形成されている。底壁部１２１ａは、図４に示されるように略円環板形状を呈している。すなわち、この底壁部１２１ａには、略中央部分に円形の開孔（以下「中央開孔」という。）Ｐｃが形成されている。また、この底壁部１２１ａの外周部分には、図４に示されるように、円周方向に沿って等間隔に３つの円形の開孔（以下「周辺開孔」という。）Ｐｐが形成されている。すなわち、これらの周辺開孔Ｐｐは、平面視において中央開孔Ｐｃを囲むように形成されている。なお、この周辺開孔Ｐｐは、図９に示されるように、円錐台形状に加工されている。側壁部１２１ｂは、図４から図６に示されているように略円筒形状を呈しており、底壁部１２１ａの外周縁から上方に向かって延びている。なお、後に詳述するが、この器部１２１には、炊飯時においてお米から生じる“おねば”が回収される。
【００２３】
フランジ部１２２は、図３から図５に示されるように、互いに対向する一対の部分円環形状部位として形成されており、器部１２１の側壁部１２１ｂの上端から水平方向に沿って外方に向かって広がっている。
【００２４】
中央大径円筒壁部１２３は、図４に示されるように、平面視において器部１２１の中央部分に配設されている。また、この中央大径円筒壁部１２３は、図５および図６に示されるように、器部１２１の底壁部１２１ａの中央開孔Ｐｃの縁から上方に向かって延びている。なお、図５および図６に示されるように、中央大径円筒壁部１２３の上端位置は、器部１２１の側壁部１２１ｂの上端位置よりも低い位置に設定されている。
【００２５】
周辺小径円筒壁部１２４は、図４に示されるように、平面視において底壁部１２１ａの外周部分に、円周方向に沿って等間隔に３つ配設されている。すなわち、これらの周辺小径円筒壁部１２４は、平面視において中央大径円筒壁部１２３を囲むように配設されている。また、この周辺小径円筒壁部１２４は、図６に示されるように、器部１２１の底壁部１２１ａの周辺開孔Ｐｐの縁から上方に向かって延びている。なお、図６に示されるように、周辺小径円筒壁部１２４の上端位置は、中央大径円筒壁部１２３の上端位置よりも低い位置に設定されている。このため、回収された“おねば”の液レベルが周辺小径円筒壁部１２４の上端を超えると、超過分の“おねば”は周辺小径円筒壁部１２４の内部通路および周辺開孔Ｐｐを通って炊飯器の内鍋（後述）に戻される。すなわち、周辺小径円筒壁部１２４の上端は、“おねば”の最大回収量を規定している。さらに、それぞれの周辺小径円筒壁部１２４には、図４および図６に示されるように、内周面から軸に向かって延びる案内リブ１２４ａが形成されている。この案内リブ１２４ａは、後述する取っ手１３０の脚部１３３の上下方向に沿った出没動作を案内する。
【００２６】
固定リブ１２５は、図３および図５に示されるように、器部１２１の側壁部１２１ｂの外周面から外方に向かって延びる縦長の突起である。なお、この固定リブ１２５は、図５に示されるように、器部１２１の軸を挟んで対向するように一対配設されている。これらの固定リブ１２５は、図３および図５に示されるように、平面視において各フランジ部１２２の略中央位置であって、各フランジ部１２２の直下に形成されている。
【００２７】
（１−２）取っ手
取っ手１３０は、図２、図７から図９に示されるように、主に、円環部１３１、放射梁部１３２、脚部１３３、出没長調整リブ１３４および栓部１３５から形成されている。以下、これらの構成要素について詳述する。
【００２８】
円環部１３１は、円環形状を呈しており、把持部として機能する。なお、この円環部１３１の内径は、図７に示されるように、中央大径円筒壁部１２３の外径よりも大きくなるように設計されている。
【００２９】
放射梁部１３２は、図７に示されるように、円環部１３１の外周面から水平方向に沿って放射状に延びている。なお、隣接する放射梁部１３２が延びる方向は、図７に示されるように互いに約１２０°の角度をなしている。
【００３０】
脚部１３３は、図２、図８および図９に示されるように、各放射梁部１３２の先端から下方に向かって延びている。なお、この脚部１３３は、図９に示されるように周辺小径円筒壁部１２４の内部通路および器部１２１の底壁部１２１ａの周辺開孔Ｐｐに挿通されている。
【００３１】
出没長調整リブ１３４は、器部１２１の底壁部１２１ａから脚部１３３が下方に向かって突出する長さを規定するリブであって（図９参照）、図８および図９に示されるように、放射梁部１３２から下側に向かって延びると共に脚部１３３から円環部１３１の軸に向かって延びている。また、この出没長調整リブ１３４は、円環部１３１を容器本体１２０に接触させない役割も果たしている。
【００３２】
栓部１３５は、シリコーンゴム製の略切頭円錐台形部材であって、図８および図９に示されるように、脚部１３３の下端に取り付けられている。なお、この栓部１３５は、図８および図９に示されるように、器部１２１の底壁部１２１ａの裏側に位置する。そして、この栓部１３５は、取っ手１３０が容器本体１２０から抜け落ちることを防止する役目を担っている。また、この栓部１３５は、周辺開孔Ｐｐと同様の形状および寸法を有しており、取っ手１３０が引き上げられたとき、周辺開孔Ｐｐを形成する面と当接して密閉構造（シール構造）を形成する。
【００３３】
（１−３）回収容器の状態変化
回収容器１１０は、図９および図１０に示される２つの状態、すなわち、取っ手１３０が引き上げられて栓部１３５により周辺開孔Ｐｐが閉塞される状態（以下「周辺開孔閉塞状態」という。）と、取っ手１３０が下方に落ちて周辺開孔Ｐｐが開放される状態（以下「周辺開孔開放状態」という。）とを取り得る。なお、本発明の実施の形態において、周辺開孔閉塞状態は、使用者が取っ手１３０の円環部１３１を把持して回収容器１１０を持ち上げたときになる状態であり、周辺開孔開放状態は、回収容器１１０を炊飯器（後述）の内鍋に載置した際になる状態である。また、周辺開孔開放状態では、栓部１３５は、“おねば”返し（すなわち、周辺開孔Ｐｐ付近に上がってくる“おねば”を周辺開孔Ｐｐに侵入させず、器部１２１から周辺小径円筒壁部１２４の内部通路および周辺開孔Ｐｐを通って内鍋に戻される“おねば”の流れを良好に保つ部材）として機能する。
【００３４】
（２）高さ位置調節部材
高さ位置調節部材１５０は、図１１に示されるように、本体部材１６０および延長部材１７０から構成されている。以下、これらの構成要素について詳述した後、この高さ位置調節部材１５０の状態変化について説明する。
【００３５】
（２−１）本体部材
本体部材１６０は、図１３および図１５に示されるように、円筒枠体１６１、フランジ部１６２、回収容器支持多段リブ１６３および突起部１６４から形成されている。以下、これらの構成要素について詳述する。
【００３６】
円筒枠体１６１は、図１４および図１５に示されるように、略円筒形状の枠体であって、その内部に回収容器１１０を収容することができる。
【００３７】
フランジ部１６２は、図１３および図１５に示されるように、略円環状の部位であって、円筒枠体１６１の上端部の外周面から水平方向に沿って外方に向かって広がっている。
【００３８】
回収容器支持多段リブ１６３は、図１３および図１５に示されるように、最上段リブ１６３ａ、第２段リブ１６３ｂ、第３段リブ１６３ｃおよび最下段リブ１６３ｄの４つのリブから構成されている。なお、最上段リブ１６３ａ、第２段リブ１６３ｂ、第３段リブ１６３ｃおよび最下段リブ１６３ｄは、上下方向に沿って等間隔に配設されている。ところで、円筒枠体１６１と回収容器支持多段リブ１６３とにより形成される中央開孔ＯＰ（図１１参照）は、平面視において容器本体１２０のフランジ部１２２とほぼ同形状（円において中心を挟んで対向する円弧の一部が直線とされている形状）とされている。このため、平面視において、回収容器１１０のフランジ部１２２の形状と本体部材１６０の中央開孔ＯＰの形状とを一致させた状態にすると、回収容器１１０をその中央開孔ＯＰに挿入することができる。また、これらの回収容器支持多段リブ１６３の幅方向中央には、図１３に示されるように、窪みＩｄが形成されており、回収容器１１０のフランジ部１２２が所望の段のリブの上位置にまで挿入された後に回収容器１１０を９０°回転させると、容器本体１２０の固定リブ１２５がその窪みＩｄに嵌合して、回収容器１１０が高さ位置調節部材１５０に設置される。
【００３９】
突起部１６４は、図１５に示されるように、一対存在しており、円筒枠体１６１の軸を挟んで対向するように形成されている。
【００４０】
（２−２）延長部材
延長部材１７０は、図１１に示されるように、主に、円筒壁部１７１および回収容器支持単段リブ１７２から形成されている。以下、これらの構成要素について詳述する。
【００４１】
円筒壁部１７１は、図１１に示されるように、主に、本体部１７１ａおよび把持部１７１ｂから形成されている。本体部１７１ａには、図１１に示されるように、略Ｊ字形状の案内開孔Ｐｇが形成されている。なお、この案内開孔Ｐｇは、一対存在しており、本体部１７１ａの軸を挟んで対向するように形成されている。そして、この案内開孔Ｐｇには、図１１に示されるように、本体部材１６０の突起部１６４が嵌め込まれる。把持部１７１ｂは、図１１に示されるように、本体部１７１ａの外周面から突起する縦長の突起として形成されている。なお、この把持部１７１ｂは、一対存在しており、平面視において一対の案内開孔Ｐｇを結ぶ仮想線と直交する仮想線上に位置し、本体部１７１ａの軸を挟んで対向するように形成されている。
【００４２】
回収容器支持単段リブ１７２は、本体部１７１ａの下端部の内周面から水平方向に沿って内方に向かって広がっている。
【００４３】
（２−３）高さ位置調節部材の状態変化
図１１に示される高さ位置調節部材１５０では、延長部材１７０の案内開孔Ｐｇの左側の低位上端部Ｅｌに本体部材１６０の突起部１６４が位置している状態となっている。このとき、高さ位置調節部材１５０は、高さ方向に縮んだ状態、すなわち、延長部材１７０の円筒壁部１７１が本体部材１６０のフランジ部１６２に近接した状態となっている。
【００４４】
そして、この状態から延長部材１７０を押し上げた後（すなわち、延長部材１７０の円筒壁部１７１をさらに本体部材１６０のフランジ部１６２に近接させた後）、平面視において延長部材１７０を反時計回りに回転させることによって案内開孔Ｐｇの右側端Ｅｍに突起部１６４が位置するようにしてから延長部材１７０を引き下げると、図１２に示されるように、延長部材１７０の案内開孔Ｐｇの高位上端部Ｅｔに本体部材１６０の突起部１６４が位置する状態となる。このとき、高さ位置調節部材１５０が高さ方向に伸びた状態、すなわち、延長部材１７０の円筒壁部１７１が本体部材１６０のフランジ部１６２から離間した状態となっている。また、この高さ位置調節部材１５０を図１２の状態から図１１の状態に戻すには、先と逆の操作を行えばよい。すなわち、延長部材１７０を押し上げた後（すなわち、円筒壁部１７１を本体部材１６０のフランジ部１６２に近接させた後）、平面視において延長部材１７０を時計回りに回転させることによって案内開孔Ｐｇの左側端Ｅｈに突起部１６４が位置するようにしてから延長部材１７０を引き下げればよい。
【００４５】
＜おねば回収器１００の使用方法およびおねば回収の仕組み＞
（１）回収容器の高さ位置調整
先ず、炊飯量やおねばの回収量等を考慮して高さ位置調節部材１５０の最上段リブ１６３ａ、第２段リブ１６３ｂ、第３段リブ１６３ｃ、最下段リブ１６３ｄおよび回収容器支持単段リブ１７２のいずれの段のリブ上に回収容器１１０を載置するか、延長部材１７０を下位置および上位置のいずれの位置に設定するかを決定する。そして、必要であれば延長部材１７０の高さ位置を変更してから、高さ位置調節部材１５０の所望の段のリブに回収容器１１０を載置する。この際、先ず、平面視において、回収容器１１０のフランジ部１２２の形状と本体部材１６０の中央開孔ＯＰの形状とを一致させた状態とする。次に、その状態を維持しながら回収容器１１０を中央開孔ＯＰに挿入する。次いで、回収容器１１０のフランジ部１２２を所望の段のリブの上位置に位置させてから回収容器１１０を９０°回転させる。そのとき、回収容器１１０の固定リブ１２５が回収容器支持多段リブ１６３の窪みＩｄに嵌合して、回収容器１１０が高さ位置調節部材１５０の所望の段に設置される。
【００４６】
なお、回収容器１１０を最も高い位置に載置するためには、回収容器１１０のフランジ部１２２の形状と本体部材１６０の中央開孔ＯＰの形状とが一致しない状態（すなわち、平面視において回収容器１１０のフランジ部１２２が最上段リブ１６３ａと重なる状態）として、そのまま回収容器１１０を高さ位置調節部材１５０に載置すればよい。
【００４７】
また、回収容器１１０を最も低い位置に載置するためには、高さ位置調節部材１５０を図１２に示される状態すなわち高さ方向に伸びた状態としてから、上述の操作を行って回収容器１１０を延長部材１７０の回収容器支持単段リブ１７２上に載置させればよい。
【００４８】
（２）おねば回収器の炊飯器への設置
本発明の実施の形態では、炊飯器２００（図１６等参照）の内鍋２０８（図１８参照）にお米や水等が投入された後、上述のようにして完成させたおねば回収器１００が内鍋２０８の上部空間に挿入される。なお、本発明の実施の形態に係る炊飯器２００の内鍋２０８には、図１８に示されるように、内側に突起する突起部２０８ａが形成されている。このため、おねば回収器１００に内鍋２０８に押し込んでいくと、おねば回収器１００が突起部２０８ａの位置で留まってそこで設置される。参考までに、回収容器１１０を最も高い位置に載置したおねば回収器１００を炊飯器２００の内鍋２０８に設置した際の炊飯器２００の断面図（切断面は図６のＶ−Ｖ面である）を図１７に示し、回収容器１１０を最も低い位置に載置したおねば回収器１００を炊飯器２００の内鍋２０８に設置した際の炊飯器２００の断面図（切断面は図６のＶ−Ｖ面である）を図１９に示した。
【００４９】
なお、図１７および図１９に示した炊飯器２００は、電磁誘導加熱式の電気炊飯器であって、主に、本体２０１、蓋体２０２、パッキン２０３、クランプボタン２０４、蒸気排出ユニット２０５、内鍋２０８、ワークコイル２０９、操作パネル２１０、電源基板（図示せず）および制御基板（図示せず）等から構成されている。
【００５０】
（３）炊飯中のおねばの流れ
炊飯中にお米から生じる“おねば”は、内鍋２０８中を立ち上って、容器本体１２０の中央開孔Ｐｃおよび中央大径円筒壁部１２３を通り、回収容器１１０の器部１２１に溜められる。そして、器部１２１に溜められている“おねば”が周辺小径円筒壁部１２４の上端を超えると、その超過分の“おねば”は周辺小径円筒壁部１２４の内部通路および周辺開孔Ｐｐを通って内鍋２０８に戻される。すなわち、このおねば回収器１００は、全ての“おねば”を回収するのではなく、一定量の“おねば”を回収するように設計されている。
【００５１】
（４）回収容器の高さ位置調節部材からの抜き出し
回収容器１１０を本体部材１６０から抜き出すには、「（１）回収容器の高さ位置調整」で述べた操作と逆の操作を行なえばよい。すなわち、取っ手１３０の円環部１３１を掴んで回収容器１１０を反対方向に回転させて回収容器１１０のフランジ部１２２の形状と本体部材１６０の中央開孔ＯＰの形状とを一致させてから、回収容器１１０を上方に引き出せばよい。
【００５２】
＜おねば回収器の特徴＞
（１）
本発明の実施の形態に係るおねば回収器１００は、従前のおねば回収器やおねば回収装置よりも大きなおねば回収容量を有する。このため、このおねば回収器１００は、従前のおねば回収器やおねば回収装置よりも多量のおねばを回収することができる。なお、従前のおねば回収器やおねば回収装置の最大おねば回収量は１０ｃｃから２０ｃｃ程度であったが、本発明の実施の形態に係るおねば回収器１００の最大おねば回収量は約１００ｃｃである。
【００５３】
（２）
本発明の実施の形態に係るおねば回収器１００では、上述の通り、“おねば”の回収量に上限が設定されており、その上限を超えた余剰の“おねば”は内鍋２０８に戻される。このため、炊飯量や、回収容器１１０の高さ位置等を適切に設定することによって、ご飯の粘りとおねば特有の旨みのバランスを取ることができる。
【００５４】
（３）
本発明の実施の形態に係るおねば回収器１００では、高さ位置調節部材１５０を用いて回収容器１１０の高さ位置を調節することができる。このため、このおねば回収器１００を利用すれば、炊飯器２００において少ない合数のお米を炊き上げる場合であっても“おねば”を十分に除去することができるだけでなく、“おねばの”回収量を調整することもでき、延いては炊き上がったご飯の食感や飲み込みやすさを調整することができる。
【００５５】
＜変形例＞
（Ａ）
先の実施の形態に係るおねば回収器１００では、高さ位置調節部材１５０の本体部材１６０では、回収容器支持多段リブ１６３のみならず、延長部材１７０の上下スライド移動によっても回収容器１１０の高さ位置を調節することができたが、いずれかの一方の構造のみが採用されてもよい。すなわち、高さ位置調節部材が本体部材１６０のみで構成されてもよいし、高さ位置調節部材１５０から回収容器支持多段リブ１６３が省略されてもよい。
【００５６】
（Ｂ）
先の実施の形態に係るおねば回収器１００において高さ位置調節部材１５０の本体部材１６０では、回収容器支持多段リブ１６３によって回収容器１１０の高さが調節されたが、本体部材１６０における高さ調節方法はこれに限定されない。例えば、回収容器１１０の外周に雄ネジ部を形成すると共に、高さ位置調節部材１５０の本体部材１６０の内周に雌ネジ部を形成してそれらを螺合し、高さ位置調節部材１５０の本体部材１６０に対して回収容器１１０を回転させることによって回収容器１１０の高さ位置を調節するようにしてもよい。
【００５７】
（Ｃ）
先の実施の形態に係るおねば回収器１００は全てが内鍋２０８の上部空間に収容されたが、炊飯器２００の内鍋２０８の上側の空間に余裕がある場合は、回収容器支持多段リブ１６３が内鍋２０８のフランジ部２０８ｂの上側に位置すると共に、延長部材１７０が内鍋２０８のフランジ部２０８ｂの下側に位置するように、おねば回収器１００を内鍋２０８の上に設置してもかまわない。かかる場合、内鍋２０８の突起部２０８ａを上側に移動させればよい。
【００５８】
（Ｄ）
先の実施の形態に係るおねば回収器１００は内鍋２０８の突起部２０８ａによって内鍋２０８の上部空間に設置されたが、おねば回収器１００の設置方法はこの方法に限られない。例えば、おねば回収器１００の高さ位置調節部材１５０のフランジ部１６２を拡張して、内鍋２０８のフランジ部２０８ｂ（図１８参照）に載置させることによって設置してもよいし、炊飯器２００の蓋体２０２におねば回収器１００を設置するための機構等を設けてもよい。
【００５９】
（Ｅ）
先の実施の形態に係るおねば回収器１００では延長部材１７０には回収容器支持単段リブ１７２が設けられたが、延長部材１７０に回収容器支持多段リブが設けられてもよい。
【００６０】
（Ｆ）
先の実施の形態では特に言及しなかったが、内鍋２０８の内周面に回収容器支持多段リブ１６３を形成してもよい。かかる場合、高さ位置調節部材１５０は不要となる。
【００６１】
（Ｇ）
先の実施の形態に係るおねば回収器１００は電気式の炊飯器に装着されたが、このおねば回収器１００は釜戸式炊飯器（内部に加熱手段を有さないもの）やガス炊飯器等の他の種類の炊飯器にも装着可能である。
【符号の説明】
【００６２】
１００      おねば回収器（液回収器）
１１０      回収容器（容器）
１２３      中央大径円筒壁部（第１円筒壁部）
１２４      周辺小径円筒壁部（第２円筒壁部）
１５０      高さ位置調節部材（高さ位置調節構造体）
１６０      本体部材（第１構造体）
１６３      回収容器支持多段リブ（容器支持リブ，第１容器支持リブ）
１７０      延長部材（第２構造体）
１７２      回収容器支持単段リブ（第２容器支持リブ）
２００      電気炊飯器（炊飯器）
２０８      内鍋
２０８ａ    突起部
Ｐｃ        中央開孔（第１開孔）
Ｐｐ        周辺開孔（第２開孔）
【図１】
0006696204.tif 000002
【図２】
0006696204.tif 000003
【図３】
0006696204.tif 000004
【図４】
0006696204.tif 000005
【図５】
0006696204.tif 000006
【図６】
0006696204.tif 000007
【図７】
0006696204.tif 000008
【図８】
0006696204.tif 000009
【図９】
0006696204.tif 000010
【図１０】
0006696204.tif 000011
【図１１】
0006696204.tif 000012
【図１２】
0006696204.tif 000013
【図１３】
0006696204.tif 000014
【図１４】
0006696204.tif 000015
【図１５】
0006696204.tif 000016
【図１６】
0006696204.tif 000017
【図１７】
0006696204.tif 000018
【図１８】
0006696204.tif 000019
【図１９】
0006696204.tif 000020